【手続補正書】
【提出日】平成18年5月11日(2006.5.11)
【手続補正１】
【補正対象書類名】明細書
【補正対象項目名】発明の名称
【補正方法】変更
【補正の内容】
【発明の名称】光ピックアップ装置およびそれを用いた光学的情報記録／再生装置および補正光学系
【手続補正２】
【補正対象書類名】明細書
【補正対象項目名】特許請求の範囲
【補正方法】変更
【補正の内容】
【特許請求の範囲】
【請求項１】
第１および第２の少なくとも２個のレーザ光源と，該第１および第２の各レーザ光源から出射された各光ビームを集光し光学的情報記録媒体上の所定位置に各々独立した光スポットを照射する集光光学系とを備えた光ピックアップ装置において，前記集光光学系は前記第１のレーザ光源から出射した第１の光ビームを集光して所定の基板厚さを有する第１の光学的情報記録媒体の所定の記録面上にほぼ回折限界まで良好に絞り込まれた第１の集光スポットを照射する機能を有しており，かつ前記第２のレーザ光源と前記集光光学系との間の光路中に所定のレンズからなる補正光学系を配置して，前記第２のレーザ光源から出射した第２の光ビームが該補正光学系と前記集光光学系を経て前記第１の光学的情報記録媒体とは異なる基板厚さを有する第２の光学的情報記録媒体の所定の記録面上にほぼ回折限界まで良好に絞り込まれた第２の集光スポットを形成することを特長とする光ピックアップ装置。
【請求項２】
前記補正光学系は，所定の球面収差を発生させる機能を有する収束レンズもしくは発散レンズであることを特長とする請求項１記載の光ピックアップ装置。
【請求項３】
前記補正光学系は，少なくとも前記第２のレーザ光源から出射した第２の光ビームに前記集光光学系によって前記第２の光学的情報記録媒体の所定の記録面上に集光される際に残留する波面収差に対して逆符号の球面収差であって前記残留波面収差を相殺するような波面収差を付加する機能を備えていることを特長とする請求項１または２記載の光ピックアップ装置。
【請求項４】
前記補正光学系は、前記集光光学系が光軸から偏心した場合に、前記補正光学系を経て前記集光光学系に入射する光ビームに対し該光ビームが前記集光光学系を透過する際に付加される波面収差のうちコマ収差にあたる成分を所定量だけ打ち消しあうような波面収差成分を付加する機能を備えていることを特長とする請求
項1または２記載の光ピックアップ装置。
【請求項５】
前記補正光学系は、同一の向きの曲率面からなるメニスカスレンズで構成されることを特長ととする請求項４記載の光ピックアップ装置。
【請求項６】
前記集光光学系は，前記第１の光ビームに対しては光学的情報記録媒体側の開口数が０．６以上の状態で集光し，前記第２の光ビームに対しては光学的情報記録媒体側の開口数が０．５以上の状態で集光するように所定の開口制限用絞りを備えたことを特長とする請求項１乃至５記載の光ピックアップ装置。
【請求項７】
請求項１乃至６記載の光ピックアップ装置を搭載した光学的情報再生装置または光学的情報記録装置。
【請求項８】
第１の光学的情報記録媒体の記録／再生を行うための第１の光ビームを出射する第１のレーザ光源と、
前記第１の光学的情報記録媒体とは異なる特性を持つ第２の光学的情報記録媒体の記録／再生を行うための第２の光ビームを出射する第２のレーザ光源と、
前記第１または第２の光ビームを集光し、前記第１または第２の光学的情報記録媒体の情報記録再面にスポットを形成する集光光学系と、
を具備する光ピックアップ装置において、
さらに、前記第２の光ビームに波面収差を付加する補正光学系を、前記第２のレーザ光源と集光光学系を結ぶ光路中に、有することを特徴とする光ピックアップ装置。
【請求項９】
第１の光学的情報記録媒体または該第１の光学的情報記録媒体記録媒体とは特性の異なる第２の光学的情報記録媒体を装着し記録／再生する光学的情報記録／再生装置において、
装着された光学的情報記録媒体の種類を判別する判別手段と、
前記第１の光学的情報記録媒体の記録／再生を行うための第１の光ビームを出射する第１のレーザ光源と、
前記第２の光学的情報記録媒体の記録／再生を行うための第２の光ビームを出射する第２のレーザ光源と、
前記第１または第２の光ビームを集光し、前記第１または第２の光学的情報記録媒体の情報記録再面にスポットを形成する集光光学系と、
前記第２の光ビームに波面収差を付加する補正光学系と、
前記判別手段からの出力に応じて前記第１または第２のレーザ光源を制御する制御手段と、
を具備することを特徴とする光学的情報記録／再生装置。
【請求項１０】
第１および第２の少なくとも２個のレーザ光源と，該第１および第２の各レーザ光源から出射された各光ビームを集光し光学的情報記録媒体上の所定位置に各々独立した光スポットを照射する対物レンズとを備えた光ピックアップ装置において，前記対物レンズは前記第１のレーザ光源から出射した第１の光ビームを集光して所定の基板厚さを有する第１の光学的情報記録媒体の所定の記録面上に第１の集光スポットを照射する機能を有しており，かつ前記第２のレーザ光源と前記対物レンズとの間の光路中に所定のレンズからなる補正光学系を配置して，前記第２のレーザ光源から出射した第２の光ビームが前記補正光学系と前記対物レンズを経て前記第１の光学的情報記録媒体とは異なる基板厚さを有する第２の光学的情報記録媒体の所定の記録面上に第２の集光スポットを形成することを特徴とする光ピックアップ装置。
【請求項１１】
前記補正光学系は，所定の球面収差を発生させる機能を有する収束レンズもしくは発散レンズであることを特徴とする請求項１０記載の光ピックアップ装置。
【請求項１２】
前記補正光学系は，少なくとも前記第２のレーザ光源から出射した第２の光ビームに前記対物レンズによって前記第２の光学的情報記録媒体の所定の記録面上に集光される際に残留する波面収差に対して逆符号の球面収差であって前記残留波面収差を相殺するような波面収差を付加する機能を備えていることを特徴とする請求項１０または１１記載の光ピックアップ装置。
【請求項１３】
前記補正光学系は、前記対物レンズが光軸から偏心した場合に、前記補正光学系を経て前記対物レンズに入射する光ビームに対し前記光ビームが前記対物レンズを透過する際に付加される波面収差のうちコマ収差にあたる成分を所定量だけ打ち消しあうような波面収差成分を付加する機能を備えていることを特徴とする請求項１1または１２記載の光ピックアップ装置。
【請求項１４】前記補正光学系は、同一の向きの曲率面からなるメニスカスレンズで構成されることを特徴とする請求項１３記載の光ピックアップ装置。
【請求項１５】
前記対物レンズは，前記第１の光ビームに対しては光学的情報記録媒体側の開口数が０．６以上の状態で集光し，前記第２の光ビームに対しては光学的情報記録媒体側の開口数が０．５以上の状態で集光するように所定の開口制限用絞りを備えたことを特徴とする請求項１０乃至１４記載の光ピックアップ装置。
【請求項１６】
請求項１０乃至１５記載の光ピックアップ装置を搭載した光学的情報再生装置または光学的情報記録装置。
【請求項１７】
第１の光学的情報記録媒体の記録／再生を行うための第１の光ビームを出射する第１のレーザ光源と、前記第１の光学的情報記録媒体とは異なる特性を持つ第２の光学的情報記録媒体の記録／再生を行うための第２の光ビームを出射する第２のレーザ光源と、前記第１または第２の光ビームを集光し、前記第１または第２の光学的情報記録媒体の情報記録再面にスポットを形成する対物レンズと、を具備する光ピックアップ装置において、さらに、前記第２の光ビームに波面収差を付加する補正光学系を、前記第２のレーザ光源と対物レンズを結ぶ光路中に、有することを特徴とする光ピックアップ装置。
【請求項１８】
第１の光学的情報記録媒体または該第１の光学的情報記録媒体記録媒体とは特性の異なる第２の光学的情報記録媒体を装着し記録／再生する光学的情報記録／再生装置において、装着された光学的情報記録媒体の種類を判別する判別手段と、前記第１の光学的情報記録媒体の記録／再生を行うための第１の光ビームを出射する第１のレーザ光源と、前記第２の光学的情報記録媒体の記録／再生を行うための第２の光ビームを出射する第２のレーザ光源と、前記第１または第２の光ビームを集光し、前記第１または第２の光学的情報記録媒体の情報記録面にスポットを形成する対物レンズと、前記第２の光ビームに波面収差を付加する補正光学系と、前記判別手段からの出力に応じて前記第１または第２のレーザ光源を制御する制御手段と、を具備することを特徴とする光学的情報記録／再生装置。
【請求項１９】
第１および第２の少なくとも２個のレーザ光源と、前記第１および第２の各レーザ光源から出射された各光ビームを集光し光学的情報記録媒体上の所定位置に各々独立した光スポットを照射する対物レンズとを備え、前記対物レンズは前記第１のレーザ光源から出射した第１の光ビームを集光して所定の基板厚さを有する第１の光学的情報記録媒体の所定の記録面上に第１の集光スポットを照射し、かつ、前記第１の光学的情報記録媒体とは異なる基板厚さを有する第２の光学的情報記録媒体の所定の記録面上に第２の集光スポットを形成する光ピックアップ装置における前記第２のレーザ光源と前記対物レンズとの間の光路中に配置され、前記第２のレーザ光源から出射した第２の光ビームが前記第１の光学的情報記録媒体とは異なる基板厚さを有する第２の光学的情報記録媒体の所定の記録面上に第２の集光スポットを形成するように前記第２の光ビームの波面収差を補正する機能を備えている収束レンズもしくは発散レンズからなる光ピックアップ装置用の補正光学系。
【請求項２０】
前記収束レンズもしくは発散レンズは、前記第２のレーザ光源から出射した第２の光ビームに前記対物レンズによって前記第２の光学的情報記録媒体の所定の記録面上に集光される際に残留する波面収差に対して逆符号の球面収差であって前記残留波面収差を相殺するような波面収差を付加する機能を備えていることを特徴とする請求項１９記載の光ピックアップ装置の補正光学系。
【請求項２１】
前記収束レンズもしくは発散レンズは、同一の向きの曲率面からなるメニスカスレンズで構成されることを特徴とする請求項１９記載の光ピックアップ装置の補正光学系。
【手続補正３】
【補正対象書類名】明細書
【補正対象項目名】０００６
【補正方法】変更
【補正の内容】
【０００６】
【課題を解決するための手段】
上記目的は、その一例として特許請求の範囲に記載の構成により達成できる。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】